(57)【要約】 【課題】自動施錠時に於いて、カマが不用意に施錠方向に回転してストライクに衝突する可能性を回避すること。【解決手段】引戸の閉戸時に戸枠体側に押されて後退変位するトリガー部材と、該トリガー部材の後退力によって作動する動力伝達手段と、該動力伝達手段と連係され、かつ、施錠方向に自動的に回転するカマとを備える鎌錠の自動施錠機構であって、前記トリガー部材と動力伝達手段との間にカマ作動障害部材２１を配設し、該カマ作動障害部材は、錠箱に軸支され、かつ、前記トリガー部材の後端部の可動軸に軸支された押圧片１０と係脱する第１係合片２１と、この第１係合片２１の一端部に設けられ、かつ、前記動力伝達手段と係脱する障害子２５とから成り、該カマ作動障害部材２１は、前記押圧片が所定位置まで後退動することを条件として、動力伝達手段の作動を許容する方向へ回転すること。【選択図】図１
2007198089.tif 000002
【特許請求の範囲】
【請求項１】
引戸の閉戸時に戸枠体側に押されて後退変位するトリガー部材７と、該トリガー部材の後退力によって作動する動力伝達手段３１と、該動力伝達手段と連係され、かつ、施錠方向に自動的に回転するカマ４０とを備える鎌錠の自動施錠機構に於いて、前記トリガー部材７に、基端部が錠箱３に軸支されたトリガー共働片１８を係合し、閉戸する際、トリガー部材の先端面１２が戸枠体側に当たる瞬間の第１段階では、トリガー共働片の係合端部１８ａが錠箱内に位置するカマの被係合部に係合しており、次に、トリガー共働片が傾倒方向へ作動した第２段階では、前記係合端部はカマの被係合部から離れ、さらに、カマに対するトリガー共働片の係止状態が解消した後の第３段階では、錠箱に軸支されたカマ作動障害部材２１は、前記トリガー部材を介して、前記動力伝達手段の作動を許容する方向へ回転することを特徴とする鎌錠の自動施錠機構。
【請求項２】
請求項１に於いて、カマ作動障害部材２１は、トリガー部材７と動力伝達手段を構成するラック部材３２との間に配設され、障害片用バネ２３により、前記ラック部材に係合する方向に常時付勢されていることを特徴とする鎌錠の自動施錠機構。
【請求項３】
請求項１に於いて、トリガー部材７は、トリガー本体８と、該トリガー本体の後端部に可動軸９を介して軸支されたカマ作動障害部材用押圧片１０と、前記可動軸に巻装された押圧片用バネ１１とから成ることを特徴とする鎌錠の自動施錠機構。
【請求項４】
請求項１に於いて、カマ作動障害部材２１は、施錠時にはトリガー部材の押圧片１０に押され、一方、解錠時には前記押圧片を押す第１係合片２４と、この第１係合片の一端部に設けられ、動力伝達手段を構成するラック部材３２が所定の位置へと移動した時に該ラック部材に係合する障害子２５とから成ることを特徴とする鎌錠の自動施錠機構。
【請求項５】
請求項１に於いて、カマ自動施錠用の付勢バネ３３は、動力伝達手段を構成するラック部材３２に組み込まれていることを特徴とする鎌錠の自動施錠機構。
【請求項６】
請求項１に於いて、トリガー共働片１８は、トリガー部材に対して交差状態に係合していると共に、トリガー共働片用バネ２０で係合方向に常時付勢されていることを特徴とする鎌錠の自動施錠機構。
【請求項７】
引戸の閉戸時に戸枠体側に押されて後退変位するトリガー部材７と、該トリガー部材の後退力によって作動する動力伝達手段３１と、該動力伝達手段と連係され、かつ、施錠方向に自動的に回転するカマ４０とを備える鎌錠の自動施錠機構であって、前記トリガー部材と動力伝達手段との間にカマ作動障害部材２１を配設し、該カマ作動障害部材は、錠箱に軸支され、かつ、前記トリガー部材の後端部の可動軸に軸支された押圧片１０と係脱する第１係合片２１と、この第１係合片２１の一端部に設けられ、かつ、前記動力伝達手段と係脱する障害子２５とから成り、該カマ作動障害部材２１は、前記押圧片が所定位置まで後退動することを条件として、動力伝達手段の作動を許容する方向へ回転することを特徴とする鎌錠の自動施錠機構。
【請求項８】
請求項７に於いて、動力伝達手段３１は、付勢バネ３３で常時付勢されているラック部材３２を含むことを特徴とする鎌錠の自動施錠機構。
【発明の詳細な説明】
【技術分野】
【０００１】
本発明は、引戸を閉めるだけで、カマがストライクに対して自動的に施錠（掛合）する鎌錠の自動施錠機構に関する。
【背景技術】
【０００２】
特許文献１は、出願人が提案したものである。この特許文献１に記載の従来例は、本発明と同様の目的（閉戸時、キー又は室内側操作部材を用いることなく、カマが自動的に施錠すること）であり、その基本的構成は、「引戸の閉戸時に戸枠体側に押されて後退変位するトリガーと、該トリガーの後退力によって作動する動力伝達手段と、該動力伝達手段と連係され、かつ、施錠方向に自動的に回転可能なカマとを備える引戸用鎌錠」である。
【０００３】
特許文献１は、引戸を閉めるだけで、カマがストライクに対して自動的に施錠（掛合）するという利点があるものの、トリガーの先端面が戸枠体側に当たるや否やカマが不用意に施錠方向に回転してストライクに衝突する可能性があるという問題点があった。
【０００４】
特許文献２も、閉戸時にカマがストライクに対して自動的に施錠（掛合）する引戸用鎌錠に関するものであるが、該従来例の目的は、閉戸操作時における引戸のバウンド状態を防止することである。そのために、閉戸操作時の慣性力によって揺動変位する揺動部材によって一瞬だけ上記鎌体の掛止状態を保持させるストッパーを構成要件としている。しかし、特許文献２も特許文献１と同様に自動施錠時に於いて、カマが不用意に施錠方向に回転してストライクに衝突する可能性があるという問題点がある。
【特許文献１】実用新案公開平７−２６５４９
【特許文献２】特開２００２−１３３３１
【発明の開示】
【発明が解決しようとする課題】
【０００５】
本発明の第１の目的は、鎌錠の自動施錠機構に於いて、カマが不用意に施錠方向に回転してストライクに衝突する可能性を回避することである。第２の目的は、閉扉時に錠箱からカマが出るタイミングの時期をより一層に遅らせ、本発明の主たる目的を十分（より確実）に達成することができることである。第３の目的は、各構成部材を簡単に組み合わせることができることである。その他、解錠時にカマ作動障害部材がスムース作動することである。
【課題を解決するための手段】
【０００６】
本発明の鎌錠の自動施錠機構は、引戸の閉戸時に戸枠体側に押されて後退変位するトリガー部材７と、該トリガー部材の後退力によって作動する動力伝達手段３１と、該動力伝達手段と連係され、かつ、施錠方向に自動的に回転するカマ４０とを備える鎌錠の自動施錠機構に於いて、前記トリガー部材７に、基端部が錠箱３に軸支されたトリガー共働片１８を係合し、閉戸する際、トリガー部材の先端面１２が戸枠体側に当たる瞬間の第１段階では、トリガー共働片の係合端部１８ａが錠箱内に位置するカマの被係合部に係合しており、次に、トリガー共働片が傾倒方向へ作動した第２段階では、前記係合端部はカマの被係合部から離れ、さらに、カマに対するトリガー共働片の係止状態が解消した後の第３段階では、錠箱に軸支されたカマ作動障害部材２１は、前記トリガー部材を介して、前記動力伝達手段の作動を許容する方向へ回転することを特徴とする。
【０００７】
また、本発明の鎌錠の自動施錠機構は、引戸の閉戸時に戸枠体側に押されて後退変位するトリガー部材７と、該トリガー部材の後退力によって作動する動力伝達手段３１と、該動力伝達手段と連係され、かつ、施錠方向に自動的に回転するカマ４０とを備える鎌錠の自動施錠機構であって、前記トリガー部材と動力伝達手段との間にカマ作動障害部材２１を配設し、該カマ作動障害部材は、錠箱に軸支され、かつ、前記トリガー部材の後端部の可動軸に軸支された押圧片１０と係脱する第１係合片２１と、この第１係合片２１の一端部に設けられ、かつ、前記動力伝達手段と係脱する障害子２５とから成り、該カマ作動障害部材２１は、前記押圧片が所定位置まで後退動することを条件として、動力伝達手段の作動を許容する方向へ回転することを特徴とする。
【０００８】
後者の発明は、本発明の目的との関係で、「基端部が錠箱３に軸支され、かつ、トリガー部材７に係合すると共に、カマ４０と係脱するトリガー共働片１８」は、必ずしも発明の特定（限定）要件ではない。
【発明の効果】
【０００９】
次に列挙するような効果を得ることができる。
（１）請求項１に記載の発明は、カマは、第１段階と第２段階と第３段階を経てストライクに掛合するので、自動施錠時に於いて、カマが不用意に施錠方向に回転してストライクに衝突する事態を確実に回避することができる。また、請求項７に記載の発明は、第２段階は存在しないものの、カマが不用意に施錠方向に回転してストライクに衝突する事態を回避することができる。
（２）各構成部材を簡単に組み合わせることができる。
（３）その他解錠時にカマ作動障害部材がスムース作動する。
【発明を実施するための最良の形態】
【００１０】
以下、図１乃至図９に示す本発明を実施するための最良の形態により説明する。
【００１１】
（１）戸枠体、引戸等
図１は、戸枠体Ｘに対して、引戸Ｙを矢印Ａ方向に閉める際に、引戸Ｙ側のトリガー部材７の先端面１２が、戸枠体Ｘのストライク１に当たり始めた状態（ここでは「第１段階」という。）を示す。この第１段階では、指状のトリガー共働片（係止片）１８がＯＮの状態である。ここで「ＯＮの状態」とは、トリガー共働片１８の係合端部１８ａがカマ４０の先端部４０ｂの外周に形成した被係合部（切欠溝）４１に係合しており、キー、サムターン等の図示しない外部操作手段の操作力により、カマ４０を少なくとも完全施錠方向へ動かすことができない状態をいう。それ故に、閉戸時に於いて、不用意にカマ４０が施錠方向に回転しまってストライク１の外面に衝突する事態を回避できる。
【００１２】
まず、Ｘは建具の戸枠体、Ｙは引戸、Ｚは鎌錠の自動施錠機構である。鎌錠の自動施錠機構Ｚは、引戸Ｙを閉める時に、戸枠体Ｘにトリガー部材７の先端面１２が当たること前提として、トリガー部材７が後退動し始めると、トリガー部材７に交差状に係合するトリガー共働片１８が倒れるように回転してカマ４０から離れ、次いで、引戸Ｙの閉める量に対応してトリガー部材７がさらに錠箱３内に後退動すると、ラック３２の移動を阻止しているカマ作動障害部材２１が、トリガー部材７を構成する押圧片１０の後端部に押されて係止を解消する方向へ回転する。
【００１３】
本実施例では、カマ作動障害部材２１は「二物品」で構成され、第１係合片２４の先端部に設けられたブロック状の障害子２５の位置が変位（例えば下降）する。その結果、前記ラック３２が付勢バネ３３のバネ力でフロント板４側へ移動し始め、他の伝動歯車３４，３５が作動する点に特徴がある。
【００１４】
以下、該特徴部分に関係のない事項（受け座、ダルマユニット、操作部材など）は、図面と共に省略している。
【００１５】
そこで、図１を参照にして、主な環境部材を説明する。１は受け金具のストライク、２はストライク１のカマ用係入孔、３は引戸の戸先側に固定された錠箱、４はフロント板、５はフロント板に形成されたカマ用開口、６はトリガー部材用開口、７は引戸Ｙの閉戸時に戸枠体Ｘ側に押されて後退変位するトリガー部材、３１は該トリガー部材７の後退力によって作動する動力伝達手段、４０は該動力伝達手段３１の転動歯車３５と連係され、かつ、施錠方向に自動的に回転するカマである。錠箱３、動力伝達手段３１及びカマ４０の具体的構成については後述する。
【００１６】
（２）トリガー部材７
主たる部材について説明する。まず、本実施例のトリガー部材７は、図１及び図６で示すように、トリガー本体８と、該トリガー本体８の後端部に可動軸９を介して軸支されたカマ作動障害部材用押圧片１０と、前記可動軸９に巻装された押圧片用バネ１１とから成る。
【００１７】
トリガー部材７の具体的構成は、本発明の独立項の限定要件ではないが、トリガー部材７のトリガー本体８は、図６で示すように、フロント板４の開口６から突出する先端部８ａと、該先端部８ａに連設する中間部８ｂと、該中間部８ｂに連設する後端部（支持部）８ｃに区分することができる。
【００１８】
しかして、前記先端部８ａの山形状先端面１２は、図１で示すように、第１段階ではストライク１の前面に当たる。また、前記中間部８ｂには、トリガー共働片用の開口１３が形成されている。さらに、前記後端部８ｃには、可動軸９用の軸孔１４や切欠状支持部分１５が形成されている。その他錠箱３に形成された水平案内部４５に係合する突起（省略）が中間部８ｂの左右の側壁に形成されている。
【００１９】
一方、前記カマ作動障害部材用押圧片１０は、トリガー本体８の後端部８ｃの切欠状支持部分１５に支持されるように可動軸９を介して該トリガー本体８に一体的に装着されている。この押圧片１０の先端部側１０ａは、切欠状支持部分１５に支持される部分であり、一方、後端部側１０ｂは、自動施錠時、カマ作動障害部材２１の第１係合片２４の後端部を押圧する反面、解錠時、前記第１係合片２４により押される部分でもある。１６は押圧片１０に形成された軸孔である（図６参照）。
【００２０】
押圧片用バネ１１は、例えば図１で示すように、一端部がトリガー本体８の後端部の切欠内面に、他端部が押圧片１０の凹所状内面にそれぞれ圧接し、該バネ１１で付勢されている押圧片１０は、常態では水平状態になっている。したがって、自動施錠時、トリガー部材７は後退動しても、押圧片１０は回転することなく、トリガー本体８と共にそのまま水平移動する（図３、図４参照）。
【００２１】
（３）トリガー共働片１８
トリガー共働片１８は、その基端部（実施例では下端部）が錠箱３に第１固定軸１９を介して軸支され、一方、係合端部（実施例では上端部）１８ａはカマ４０の先端部の被係合部４１に係脱する。このトリガー共働片１８は、本実施例では、トリガー部材７に対して交差状態に係合していると共に、第１固定軸１９に設けられたトリガー共働片用バネ２０で係合方向に常時付勢されている。
【００２２】
付言すると、トリガー共働片１８は、閉戸する際、トリガー７の先端面１２が戸枠体側（実施例ではストライク２）に当たる瞬間の第１段階では、カマ４０の被係合部４１に係合しており、トリガー７の後退動により、トリガー共働片１８が傾倒方向へ作動した第２段階では、その係合端部１８ａはカマ４０の被係合部４１から離れる。
【００２３】
（４）カマ作動障害部材
カマ作動障害部材２１は、第２固定軸２２を介して錠箱３に軸支されている。本実施例のカマ作動障害部材２１は、トリガー部材７と動力伝達手段３１を構成するラック部材３２との間に配設され、前記第２固定軸２２に巻装されたカマ作動障害部材用バネ２３により、前記ラック部材３２に係合する方向に常時付勢されている。
【００２４】
このカマ作動障害部材２１は、カマ４０に対するトリガー共働片１８の係止状態が解消した後の第３段階では、トリガー部材７を介して、動力伝達手段３１の作動を許容する方向へ回転する。付言すると、カマ４０を自動施錠する場合、カマ作動障害部材２１は、ラック部材３２の前面から、その障害子２５が下降して離れる（図４参照）。
【００２５】
しかして、本実施例のカマ作動障害部材２１は、施錠時にはトリガー部材７の押圧片１０に押される反面、解錠時には前記押圧片１０を押す第１係合片２４と、この第１係合片２４の一端部に設けられ、ラック部材３２が所定の位置（カマ解錠位置）へと移動した時に該ラック部材３２に係合する障害子２５とから成る。
【００２６】
上面弧状の障害子２５は、連結可動ピン２６を介して第１係合片２４の先端部に連結されている。そして、前記連結可動ピン２６は、錠箱３に形成された垂直案内部分に係合している。
【００２７】
ここで、図７を参照にして、カマ作動障害部材２１の具体的構成を説明する。２４は人差し指形状の第１係合片で、この第１係合片２４は、中央部の軸孔２４ａに挿入されかつ錠箱３に横設軸架された第２固定軸２２を介して軸支されている。
【００２８】
しかして、第１係合片２４の先端部には連結可動ピン２６用の連結孔２４ｂが形成され、一方、その後端部にはバネ２３の一端部を受けるピン状の突起２４ｃが設けられている。そして、前記バネ２３の他端部は、錠箱３に後壁付近に設けたバネ受けピン２７に支持されている。このバネ２３の強さは、押圧片用バネの強さを考慮して適宜に設定されている。
【００２９】
また、本実施例の障害子２５は、例えば下向きコ字形状に形成され、第１係合片２４に先端部に跨ぐように乗っかっている。そして、左右の対向側壁２５ａには連結可動ピン２６用の案内長孔２８が一対形成され、該案内長孔２８を介して第１係合片２４に先端部に多少可動できるように連結されている。さらに、前記左右の対向側壁２５ａの外面には、錠箱３に形成した垂直案内部分４６と係合する単数又は複数個（本実施例）の係合突起２９が設けられている。
【００３０】
（５）動力伝達手段３１
図１を参照にして、動力伝達手段３１を構成する各部材を簡単に説明する。３２は水平方向へ往復動するラック部材で、該ラック部材３２は、カマ自動施錠用の付勢バネ３３を備えている。付勢バネ３３は、本実施例では、図１で示すようにラック部材３２に組み込まれている。
【００３１】
３４はカマ４０を施・解錠方向へと回転させるための第１伝動歯車で、該第１伝動歯車３４は、ラック部材３２とカマ４０に係合する第２伝動歯車３５との間に介在している。
なお、第１伝動歯車３４の具体的構成については特に図示しないが、例えば一芯軸３６を介して複数個併設されている。この一芯軸３６には、図示しない操作手段（例えばレバーハンドル、ノブ）を直接又は間接的に連結することも可能である。その他の細部的事項の説明は割愛する。
【００３２】
（６）カマ４０
カマ４０は、幅広の基端部４０ａがカマ軸４７を介して軸支されている。また、カマ４０は不番の連係手段（ガイド長孔、伝動歯車３５の係合ピン）を介して回転自在となっている。その他必要に応じて不番のバネを設けている。カマ４０の先端部４０ｂの外面には、前述したように被係合部（切欠溝）４１が形成されている。
【００３３】
（７）錠箱の詳細
図５は錠箱の一例を示す概略説明図である。４８はラック部材用の水平案内部分、４９は操作部材（キー、サムターンなど）の操作力で作動する駆動手段（シリンダー、ダルマ等）を取付けるための嵌合孔である。
【００３４】
なお、この嵌合孔４９の空間部分には、錠前が電動式である場合には、ソレノイド、駆動モータ、駆動歯車などの駆動源が適宜に配設される。したがって、本発明の適用範囲は、手動式の錠前に限定されるものではない。
【実施例】
【００３５】
この欄では、主な図面を参照にして、本発明の自動施錠の作用について説明する。繰り返しになるが、図１は「第１段階」である。この第１段階は、引戸Ｙ側のトリガー部材７の先端面１２が、戸枠体Ｘのストライク１に当たり始めた瞬間である。第１段階では、トリガー共働片１８がＯＮの状態である。したがって、カマ４０の先端部４０ｂは錠箱３内に位置している。また、ラック部材３２は付勢バネ３３に付勢されているものの、カマ作動障害片２１の障害子２５により、その移動が阻止されている。
【００３６】
図２は「第２段階」である。この第２段階では、トリガー共働片１８が「ＯＦＦ」の状態となる。トリガー部材７が矢印Ｂ方向へ水平移動すると、トリガー共働片１８は第１固定軸１９を支点に回転するから傾倒状態となり、その係合端部１８ａがカマ４０の被係合部４１から離れる。この第２段階の後、或いは第２段階と同時に、トリガー部材７の押圧片１０はカマ作動障害部材２１の第１係合片２４の下端部を押圧し始める。この時、押圧片１０の先端部１０ａの下面はトリガー本体８の切欠状支持部分１５に支持されているから、反時計方向へ回転することができない。
【００３７】
したがって、押圧片１０はトリガー本体８と共にそのまま後退動する。そうすると、作動障害部材２１の第１係合片２４は、第２固定軸２２を支点に反時計方向へと回転することから、障害子２５は錠箱３の垂直案内部分４６に案内されて下降する。しかし、この第２段階では、まだラック部材３２は作動障害部材２１の障害子２５に阻止されている。
【００３８】
図３、図４は、「第２段階から第３段階に入った状態」である。カマ４０に対するトリガー共働片１８の係止状態が解消した後の第３段階では、カマ作動障害部材２１は、前記トリガー部材７を介して、動力伝達手段３１の作動を許容する方向へ回転する。
【００３９】
すなわち、第１係合片２４が反時計方向へ回転し続けると、矢印方向へ位置移動変位中の障害子２５の上部弧状面２５ｂがラック部材３２の下面３２ａに潜る込むことが可能な状態となる。
【００４０】
そこで、本実施例の第３段階では、前記障害子２５がラック部材３２の下面３２ａに入り込み、その結果、ラック部材３２が付勢バネ３３のバネ力により矢印方向へ移動し始める。
【００４１】
図８は、ラック部材３２が前進した結果、カマ４０が複数個の伝動歯車３４、３５を介して施錠方向へ回転し、自動施錠の状態になったことを示す。
【００４２】
図９は、図示しない操作部材又は駆動手段により、各構成部材が解錠方向へ作動して解錠状態になった説明図である。
【００４３】
解錠時、カマ作動障害部材２１の第１係合片２４の後端部はトリガー部材７の押圧片１０を押し付けることから、押圧片１０はバネ１１のバネ力に抗して時計方向へと回転している。したがって、押圧片用のバネ１１のバネ力は、障害片用のバネ２３のそれよりも「弱く」設定する必要がある。
【産業上の利用可能性】
【００４４】
本発明は、主に錠前や建具の業界で利用される。
【図面の簡単な説明】
【００４５】
図１乃至図９は本発明の最良の実施例を示す各説明図。
【図１】本発明の一例を示す概略断面説明図（第１段階）。
【図２】第２段階の概略説明図。
【図３】第２段階から第３段階に入る寸前の概略説明図。
【図４】図３に於いて、第３段階に突入した概略説明図。
【図５】錠箱の主要部分の概略説明図。
【図６】トリガー部材の分解斜視図。
【図７】カマ作動障害部材の分解斜視図。
【図８】自動施錠状態の概略説明図。
【図９】解錠状態の概略説明図。
【符号の説明】
【００４６】
Ｘ…戸枠体、Ｙ…引戸、３…錠箱、７…トリガー部材、８…トリガー本体、９…可動軸、１０…押圧片、１１…押圧片用バネ、１２…トリガー部材の先端面、１８…トリガー共働片、１８ａ…トリガー共働片の係合端部、１９…第１固定軸、２０…トリガー共働片用バネ、２１…カマ作動障害部材、２３…障害片用バネ、２４…第１係合片、２５…障害子、３１…動力伝達手段、３２…ラック部材、３３…カマ自動施錠用の付勢バネ、３４，３５…伝動歯車、４０…カマ、４１…被係合部。
【図１】
2007198089.tif 000003
【図２】
2007198089.tif 000004
【図３】
2007198089.tif 000005
【図４】
2007198089.tif 000006
【図５】
2007198089.tif 000007
【図６】
2007198089.tif 000008
【図７】
2007198089.tif 000009
【図８】
2007198089.tif 000010
【図９】
2007198089.tif 000011